(57)【要約】【課題】ＤＴＶ内の録画デバイスからＴＳの消去、移動、編集、変換を実行すると、印刷制御データや印刷データは消去され、ＤＴＶからの印刷制御ができなくなる。そこで、消去、移動、編集、変換を実行前に、印刷ができなくなることを通知する。この通知により、印刷データを提供する者のニーズを満たしつつ、かつ、ユーザが印刷コンテンツの入手機会を喪失しないようにする。【解決手段】放送信号から生成された、印刷データを含む放送データを記録部１２５に記録し、印刷データを印刷装置２０４に送信可能な印刷制御装置であって、記録部１２５に記録された放送データが印刷データを含むかを判定する判定手段１１９と、判定手段１１９によって印刷データを含むと判定された放送データに対し、ユーザが所定の制御処理の実行を指示したことに応じて、印刷データに基づく印刷が実行できなくなることをユーザに通知する制御を実行する制御手段１１１、１１０とを備える。【選択図】図１
2010074619.tif 000002
【特許請求の範囲】
【請求項１】
放送信号から生成された、印刷データを含む放送データを記録部に記録し、前記印刷データを印刷装置に送信可能な印刷制御装置であって、
前記記録部に記録された前記放送データが印刷データを含むかを判定する判定手段と、
前記判定手段によって印刷データを含むと判定された放送データに対し、ユーザが所定の制御処理の実行を指示したことに応じて、前記印刷データに基づく印刷が実行できなくなることをユーザに通知する制御を実行する制御手段と、
を備えることを特徴とする印刷制御装置。
【請求項２】
前記放送データに含まれる前記印刷データの数と、当該印刷データの印刷履歴とを保持する保持手段を備え、
前記判定手段は、前記記録部に記録された前記放送データに含まれる複数の印刷データのうち、未印刷の印刷データがあるかを判定し、
前記制御手段は、前記判定手段によって未印刷の印刷データを含むと判定された放送データに対し、ユーザが所定の制御処理の実行を指示したことに応じて、前記未印刷の印刷データに基づく印刷が実行できなくなることをユーザに通知する制御を実行することを特徴とする請求項１記載の印刷制御装置。
【請求項３】
前記判定手段は、前記記録部に記録された前記放送データに含まれる前記印刷データの印刷の有効期限が切れているかを判定し、
前記制御手段は、前記判定手段によって有効期限が切れていない印刷データを含むと判定された放送データに対し、ユーザが所定の制御処理の実行を指示したことに応じて、前記有効期限が切れていない印刷データに基づく印刷が実行できなくなることをユーザに通知する制御を実行することを特徴とする請求項１記載の印刷制御装置。
【請求項４】
現在又は過去に、当該印刷制御装置に印刷装置が接続中又は接続されていたかを判定する接続判定手段を有し、
前記制御手段は、前記接続判定手段によって、現在まで一度も前記印刷装置が接続されていないと判定された場合には、前記印刷データを含む放送データに対して、ユーザが所定の制御処理の実行を指示しても、印刷が実行できなくなることをユーザに通知しないよう制御することを特徴とする請求項１記載の印刷制御装置。
【請求項５】
当該印刷制御装置に接続された機器が印刷データの印刷機能を備えているかを判定する機能判定手段を備え、
前記制御手段は、前記所定の制御処理が前記放送データを前記機器に移動する制御である場合、移動先の前記機器が印刷データの印刷機能を備えていると前記機能判定手段が判定した場合には、印刷が実行できなくなることをユーザに通知しないよう制御することを特徴とする請求項１記載の印刷制御装置。
【請求項６】
放送信号から生成された、印刷データを含む放送データを記録部に記録し、前記印刷データを印刷装置に送信可能な印刷制御装置の制御方法であって、  前記記録部に記録された前記放送データが印刷データを含むかを判定する判定工程と、  前記判定工程によって印刷データを含むと判定された放送データに対し、ユーザが所定の制御処理の実行を指示したことに応じて、前記印刷データに基づく印刷が実行できなくなることをユーザに通知する制御を実行する制御工程と、
を備えることを特徴とする印刷制御装置の制御方法。
【発明の詳細な説明】
【技術分野】
【０００１】
本発明は、データ放送の印刷サービスに対応した印刷制御装置、及び印刷制御装置の制御方法に関するものである。
【背景技術】
【０００２】
地上デジタル放送におけるデータ放送サービスの１つとして、データ放送の印刷サービスが提供されている。本印刷サービスにより、ユーザは、放送番組に関連する情報、天気予報、又はニュース情報をデジタルテレビ（以下、「ＤＴＶ」と表す）に接続された印刷装置（以下、「プリンタ」と表す）によって印刷し、印刷コンテンツを入手できる。また、放送番組のスポンサーは、商品の割引クーポンやカタログを始めとした印刷コンテンツを配信し、ユーザに印刷してもらうことで、広告を効果的に実施したいというニーズがある。
【０００３】
非特許文献１及び非特許文献２は、本印刷サービスに関するデジタル放送規格や運用規定を示している。非特許文献１及び非特許文献２に基づく印刷サービスにおいて、ＤＴＶは以下の３つの印刷形態を実行することができる。
印刷形態１：ＤＴＶが放送波に含まれる印刷データを取得し、プリンタに印刷を要求する形態。
印刷形態２：ＤＴＶが表示中のデータ放送画面をキャプチャし、プリンタに印刷を要求する形態。
印刷形態３：ＤＴＶがプリンタにインターネット上のサーバに存在する印刷データを印刷要求する形態。
【０００４】
前記印刷形態１は、非特許文献１及び非特許文献２が規定するＭＰＥＧ２トランスポートストリーム（以下、「ＴＳ」と表す）中のデータ放送データが含む拡張関数により実行される。具体的に、拡張関数は、DOM（Document Object Model）-API（Application Program
Interface）であるprintFile()やprintTemplate()である。printFile()は、ＤＴＶが放送波を受信、復調することで得られるＴＳから印刷データ（printFile印刷データ）を取得し、プリンタに転送して印刷要求を行う。前記印刷形態２は、非特許文献１及び非特許文献２が規定するＴＳ中のデータ放送データが含む拡張関数DOM-APIであるprintStaticScreen()により実行される。前記印刷形態３は、非特許文献１及び非特許文献２が規定するＴＳ中のデータ放送データが含む拡張関数DOM-APIであるprintUri()により実行される。printUri()は、その引数によって指定されるURI（Uniform Resource Indicator）で取得可能な印刷データ（printUri印刷データ）をプリンタに取得させ、印刷要求を行う。通常、printUri印刷データは、インターネット上に存在するコンテンツサーバ内に存在する。
【０００５】
以下、拡張関数DOM-APIであるprintFile()、printTemplate()、printStaticScreen()及びprintUri()を含むデータ放送データを「印刷制御データ」と記述する。また、printFile印刷データだけでなく、printUri()の場合のURIも印刷データとして定義する。したがって、放送信号に含まれる印刷データとは、printFile印刷データとprintUri()におけるURIを指す。
【０００６】
また、ユーザの生活スタイルの多様化に伴い、ユーザが、放送番組を録画し、好きな時間に視聴することがある。そのような目的のため、ハードディスクを初めとした録画デバイスを内蔵し、ＴＳを記録可能なＤＴＶが知られている。しかしながら、その録画デバイスは、容量に限りがある為、ユーザは、録画した放送番組データ、つまり、ＴＳを、消去や編集、又は他の録画デバイスへ移動せざるを得ない場合がある。そのため、録画デバイスの容量を効率よく使用する為に、ユーザは、記録済みのＴＳが含む映像、音声データを変換して再記録したり、録画時に変換して記録したりすることがある。ここで、変換とは、映像や音声データのビットレートを変換したり、符号化方式を変換したりすることを指す。
【０００７】
また、特許文献１は、録画した番組を録画者が見ていないうちに録画番組を誤って消されてしまうことを防止する為、録画番組リスト上において、複数の視聴者のうち、誰が番組を視聴済みかについて表示することが可能なシステムを開示している。
【０００８】
【特許文献１】特開２００５−５７６３７号広報
【非特許文献１】社団法人  電波産業会  標準規格  「デジタル放送におけるデータ放送符号化方式と伝送方式」  ARIB STD-B24
【非特許文献２】社団法人  電波産業会  技術資料  「地上デジタルテレビジョン放送運用規定」  ARIB TR-B14
【発明の開示】
【発明が解決しようとする課題】
【０００９】
通常、拡張関数DOM-APIであるprintFile()、printTemplate()及びprintStaticScreen()を含む印刷制御データや、実際に印刷装置に送信される印刷データは、ＴＳ内に存在する。また、拡張関数DOM-APIであるprintUri()を含む印刷制御データはＴＳ内に存在する。更に、printUriが参照する印刷データは、インターネット上に存在するコンテンツサーバ内に存在する。したがって、ユーザが、ＤＴＶ内の録画デバイスを操作し、ＴＳを消去や移動すると、印刷制御データや印刷データは消え、すなわち、ＤＴＶからの印刷制御ができなくなる。
【００１０】
同様に、ユーザが、ＤＴＶ内の録画デバイスのＴＳを編集することで、印刷制御データや印刷データを含むＴＳ部分が消えると、ＤＴＶからの印刷制御ができなくなる。また、ユーザが、ＤＴＶ内の録画デバイスのＴＳを他の符号化方式や、データ量を削減するために、ビットレートなどを変換することで印刷制御データや印刷データが消えると、ＤＴＶからの印刷制御ができなくなる。
【００１１】
また、ユーザが、録画時にＴＳを他の符号化方式や、データ量を削減するために、ビットレートなどを変換して記録する場合においても、印刷制御データや印刷データが消えることがあり、ユーザは、ＤＴＶから印刷制御をすることができなくなる。特に、印刷が実施されない場合には、放送番組のスポンサーが期待する印刷による広告効果が上がらない。加えて、ユーザにとっても有益な印刷コンテンツを入手する機会を喪失する。
【００１２】
しかしながら、特許文献１は、ユーザがＴＳに含む印刷制御データや印刷データを誤って消去してしまうことを防止する為の表示を行う手段を開示していない。よって、放送番組のスポンサーのニーズを満たすこと、更には、ユーザにとっても有益な印刷コンテンツを入手する機会を喪失してしまうことを防ぐことは困難である。
【００１３】
本発明は、このような状況を鑑みてなされたものであり、印刷データを取得して印刷制御処理を行う装置において、印刷コンテンツの提供者のニーズを満たし、ユーザが印刷コンテンツの入手機会を喪失しないようにする印刷制御装置を提供することを目的とする。
【課題を解決するための手段】
【００１４】
そこで、本発明は、放送信号から生成された、印刷データを含む放送データを記録部に記録し、印刷データを印刷装置に送信可能な印刷制御装置であって、記録部に記録された放送データが印刷データを含むかを判定する判定手段と、判定手段によって印刷データを含むと判定された放送データに対し、ユーザが所定の制御処理の実行を指示したことに応じて、印刷データに基づく印刷が実行できなくなることをユーザに通知する制御を実行する制御手段とを備えることを特徴とする。
【００１５】
また、本発明は、放送信号から生成された、印刷データを含む放送データを記録部に記録し、印刷データを印刷装置に送信可能な印刷制御装置の制御方法であって、記録部に記録された放送データが印刷データを含むかを判定する判定工程と、判定工程によって印刷データを含むと判定された放送データに対し、ユーザが所定の制御処理の実行を指示したことに応じて、印刷データに基づく印刷が実行できなくなることをユーザに通知する制御を実行する制御工程とを備えることを特徴とする。
【発明の効果】
【００１６】
本発明によれば、記録部に記録された放送データに対して、ユーザが所定の制御処理の実行を指示した場合には、当該放送データに印刷データが含まれていれば、その印刷データの印刷ができなくなることを通知する。この通知により、印刷コンテンツを提供する者のニーズを満たし、かつ、ユーザは、印刷コンテンツの入手機会を喪失しないようにすることができる。
【発明を実施するための最良の形態】
【００１７】
以下、本発明を実施するための最良の形態について図面等を参照して説明する。なお、以下に示す実施形態は、印刷制御装置をデジタルテレビ（ＤＴＶ）に適用した場合について説明する。
【００１８】
（実施形態１）
本発明の実施形態１では、ユーザが、印刷制御装置内に記録した放送データであるストリームデータを消去、若しくは、移動する際、Ｐ−ＴＳに印刷制御データや印刷データを含む場合に、ユーザに印刷ができなくなることを通知する例について説明する。なお、以下の説明において、前記ストリームデータ（Partial Transport Stream）を、「Ｐ−ＴＳ」と表記する。
【００１９】
図１は、本発明の実施形態１である印刷制御装置１００の構成を示す図である。
印刷制御装置１００は、テレビ基本機能として、アンテナ２００を介し受信するテレビ放送番組を表示する。印刷制御装置１００は、また、テレビ拡張機能として、アンテナ２００を介し受信するテレビ放送番組の録画制御機能、録画装置２０３に対する制御機能、データ放送のブラウズ機能及び印刷機能を有する。
【００２０】
印刷制御装置１００は、チューナ部１０１と、データ分離部１０２と、映像デコード部１０３と、音声デコード部１０４と、表示合成部１０５と、表示制御部１０６と、音声制御部１０７と、映像表示部１０８と、音声出力部１０９とを備えている。
【００２１】
チューナ部１０１は、アンテナ２００を介し入力される放送信号に対し、復調、及び誤り訂正等の処理を行ない、ＴＳを形成し、データ分離部１０２に出力する。データ分離部１０２は、ＴＳデータに含まれるＰＡＴ（Program Association Table）を取り出し、選局制御部１１３に送出する。更に、データ分離部１０２は、ＴＳから所望のチャンネルに関わる映像、音声、データ放送データの分離を行う。
【００２２】
映像デコード部１０３は、データ分離部１０２で分離した映像データを、映像データに復号化する。音声デコード部１０４は、データ分離部１０２で分離した音声データを、音声データに復号化し、音声制御部１０７に出力する。
【００２３】
表示合成部１０５は、映像デコード部１０３で復号した映像データと、グラフィック生成部１１０が生成したグラフィックデータとを合成する。表示制御部１０６は、映像データを映像表示部１０８の表示解像度、表示色数、リフレッシュレートに適した表示データ、及びタイミングに変換し、映像表示部１０８にて映像表示を行う。
音声制御部１０７は、音声データのボリュームレベル等を変更する機能を有し、音声出力部１０９にて音声出力を行う。
【００２４】
印刷制御装置１００は、また、システム制御部１１１と、受光部１１２と、選局制御部１１３と、メモリ部１１４と、タイマー部１１５と、データ放送制御部１１６と、データ放送ブラウズ処理部１１７と、印刷制御部１１８とを備えている。
【００２５】
システム制御部１１１は、ユーザがリモコン１５２を操作することにより指定した情報を、受光部１１２を介して受信し、ユーザが所望するチャンネルを判定し、選局制御部１１３に選局を要求する。
【００２６】
選局制御部１１３は、システム制御部１１１の選局要求に基づき、チューナ部１０１、データ分離部１０２の選局制御を行う。即ち、選局制御部１１３は、ＰＡＴを解析することにより、所望のチャンネルに係るＰＭＴ（Program Map Table）のＰＩＤ（Packet
IDentifier）を認識し、データ分離部１０２に対して所望のＰＭＴの取得要求を行う。また、選局制御部１１３は、定期的に、例えば、本実施形態では、タイマー部１１５からの通知により、３秒毎に現在時刻情報や番組情報データの分離要求を行う。また、選局制御部１１３は、テレビ放送番組の番組視聴を開始する処理が正常に完了すると、選局したチャンネル情報をメモリ部１１４に蓄積する。
【００２７】
メモリ部１１４は、データ分離部１０２がＴＳから分離した現在時刻情報や番組情報データ、更には、データ放送データや印刷データを蓄積する。タイマー部１１５は、現在時刻情報を受け入れ、時刻情報のカウントを行う。
【００２８】
データ放送制御部１１６は、メモリ部１１４内のデータ放送データを取得し、該データ放送データをデータ放送ブラウズ処理部１１７に送ると共に、ブラウズ処理実行を要求する。メモリ部１１４内にブラウズに必要なデータが蓄積されていない場合、データ放送制御部１１６は、データ分離部１０２に対し、データ放送データの取得要求を行う。
【００２９】
データ放送ブラウズ処理部１１７は、データ放送画面を表示中に、ユーザがリモコン１５２を操作することにより、何らかの要求を行った場合、後述するＢＭＬデータの記述に従い、要求種別の判定処理を行う。データ放送ブラウズ処理部１１７が、要求種別は印刷要求であると判定した場合には、印刷制御部１１８に対する印刷処理の実行を要求する。印刷制御部１１８は、印刷データの印刷処理の制御を実行する。
【００３０】
印刷制御装置１００は、更に、通知要否判定部１１９と、接続機器制御部１２０と、通信制御部１２１と、データ伝送路１２２と、Ｐ−ＴＳ生成部１２３と、番組記録制御部１２４と、番組記録部１２５とを備えている。
【００３１】
通知要否判定部１１９は、録画番組の処理方法の判定要求処理を行う。接続機器制御部（接続判定手段）１２０は、プリンタ等の印刷装置２０４が、現在又は過去に、接続中、若しくは、接続されていたかどうかを検出するとともに、検出した機器の制御を行う。通信制御部１２１は、コンテンツサーバ２０６に印刷データがあるかどうかを検出するとともに、外部サーバとの通信を制御する。また、通信制御部１２１は、印刷データを印刷装置２０４に送信可能である。
【００３２】
データ伝送路１２２は、印刷制御装置１００内の各構成部間のデータを伝送する回線経路である。Ｐ−ＴＳ生成部１２３は、Ｐ−ＴＳ（パーシャルトランスポートストリーム）の生成を行う。ここで、例えば、ＡＲＩＢ−ＳＴＤ  Ｂ１やＡＲＩＢ−ＳＴＤ  Ｂ２１、及び、非特許文献２等は、Ｐ−ＴＳの基本的構造や詳細を規定、記述している。
【００３３】
番組記録制御部１２４は、Ｐ−ＴＳ生成部１２３に対し、Ｐ−ＴＳの生成を要求する。番組記録部１２５は、ＴＳが含む映像や音声、番組情報、データ放送データ、及び印刷データ等を記録する。
【００３４】
図２は、印刷制御装置１００と、当該印刷制御装置１００の外部との関係及び構成を示す図である。
印刷制御装置１００は、アンテナ２００とデータ中継装置２０１とに接続する。更に、印刷制御装置１００は、アンテナ２００とデータ中継装置２０１とを介して、回線終端装置２０２と、録画装置２０３と、印刷装置２０４と、インターネット接続回線（インターネット）２０５と、コンテンツサーバ２０６とに接続する。
【００３５】
アンテナ２００は、放送信号を受信し、印刷制御装置１００及び録画装置２０３に信号を送出する。データ中継装置２０１は、印刷制御装置１００、録画装置２０３、印刷装置２０４、及び回線終端装置２０２によって形成するネットワーク上を流れるデータをどの装置に転送すべきかを判定し、転送する。
【００３６】
回線終端装置２０２は、光ファイバやＡＤＳＬ（Asymmetric Digital Subscriber Line）、ＣＡＴＶ等のインターネット接続回線２０５によりインターネット接続を行う。録画装置（放送記録部）２０３は、アンテナ２００から放送波を受信し、放送番組の録画や、印刷制御装置１００からの要求に基づき、録画した放送番組の再生や、印刷制御装置１００から送出される放送番組の録画を行う。
【００３７】
印刷装置２０４は、印刷制御装置１００からの要求に基づき、紙等の記録媒体上に画像を形成する印刷制御を行う。コンテンツサーバ２０６（外部サーバ）は、印刷データを蓄積するサーバである。
【００３８】
図２において、印刷制御装置１００は、録画装置２０３及び印刷装置２０４と、データ中継装置２０１を介し、ＵＰｎＰ（Universal Plug & Play）ネットワークにより接続している。ＵＰｎＰは、テレビや録画機器、印刷装置等を接続し、相互に機能を提供しあうことを可能とする技術標準仕様である。ＵＰｎＰの技術標準仕様に関しては、説明を割愛するが、本実施形態における録画装置２０３、印刷装置２０４の制御処理は、ＵＰｎＰ技術標準仕様に基づくアクションやイベントの送受信により実現するよう構成している。
【００３９】
図３は、印刷制御装置１００をユーザが操作するためのリモコン１５２の構成を示す図である。
【００４０】
リモコン１５２は、発光部３０１と、電源キー３０２と、カーソルキー３０３と、決定キー３０４と、「ｄ」キー３０５と、「青」「赤」「緑」「黄」の４つのキーからなるカラーキー３０６とを備える。更に、リモコン１５２は、「０」〜「９」の１０個のキーからなる数字キー３０７と、リストキー、オプションキー、再生キー、停止キー、巻戻キー、早送キー、一時停止キー、録画キーの８つのキーからなる録画・再生制御キー３０８とを備える。ただし、図３は、本実施形態を実現する為の操作を行うキーを表すものである。
【００４１】
発光部３０１は、リモコン１５２と印刷制御装置１００の受光部１１２との赤外線通信を行うものである。電源キー３０２は、印刷制御装置１００の電源をオン／オフする為のキーである。
【００４２】
リストキーは、番組記録部１２５、又は録画装置２０３に録画された録画番組の一覧を映像表示部１０８に表示させる為のキーである。ユーザは、表示された録画番組の一覧を見ながら視聴したい番組をカーソルキー３０３で選んで、決定キー３０４により決定し、視聴を開始する。
【００４３】
再生キー、停止キー、巻戻キー、早送キー、一時停止キーは、視聴する録画番組の再生制御（再生開始、再生停止、巻戻、早送、一時停止）に用いる。録画キー、停止キーは、番組の録画制御（録画開始、録画停止）に用いる。オプションキーは、制御の対象となる機器、例えば、印刷制御装置１００自身や録画装置２０３の制御方法、例えば録画番組の消去、移動等を選択・決定する為に用いるキーである。
【００４４】
録画・再生制御キー３０８は、印刷制御装置１００が備える番組録画を制御するための機能や、また、録画装置２０３の録画機器を制御するための機能の実行に用いる。機器の制御方法の選択・決定手順については後述する。
【００４５】
＜番組視聴機能＞
まず、印刷制御装置１００が有するテレビ放送番組の番組視聴機能について説明する。
テレビ放送番組の番組視聴機能とは、ユーザのリモコン１５２の操作によって、アンテナ２００を介し受信するテレビ放送番組に関わる映像や番組情報等を映像表示部１０８に表示する機能、音声を音声出力部１０９から出力する機能である。
【００４６】
以下に、印刷制御装置１００がテレビ放送番組の番組視聴を開始する処理を行う為の内部動作について説明する。
まず、ユーザは、リモコン１５２を操作し、所望のチャンネルを受光部１１２に向けて指定する。尚、ここでのリモコン操作は、リモコン１５２の数字キー３０７による。
システム制御部１１１は、リモコン１５２の操作による情報に基づいてチャンネルを判定し、選局制御部１１３に選局を要求する。
【００４７】
選局制御部１１３は、選局要求に基づいてチューナ部１０１及びデータ分離部１０２の選局制御を開始する。チューナ部１０１は、ＴＳを形成し、データ分離部１０２に出力する。
【００４８】
ＴＳは、1つ以上のチャンネルに関わる映像及び音声データや、現在時刻情報、番組情報データ、データ放送データ、及び印刷データ等が多重している。現在時刻情報には、年月日、時分秒情報を含む。番組情報には、番組名、番組内容説明、放送チャンネル、放送時間情報（開始時刻と継続時間）、その番組のコピー制御情報等を含む。
尚、データ放送データと印刷データは、ＩＳＯ／ＩＥＣ１３８１８−６や非特許文献１等にて規定、記述のＤＳＭ−ＣＣのデータカルーセル方式により、ＴＳ中に多重する。
【００４９】
次に、データ分離部１０２は、ＴＳデータに含まれるＰＡＴを取り出し、選局制御部１１３に送出する。選局制御部１１３は、ＰＡＴを解析する事により、ＰＭＴのＰＩＤを認識し、データ分離部１０２に、所望のＰＭＴの取得要求を行う。データ分離部１０２は、ＰＭＴの取得要求に従い、ＴＳに含まれる所望のＰＭＴを取り出し、選局制御部１１３に送出する。
【００５０】
次に、選局制御部１１３は、このＰＭＴを解析する事により、番組に係る映像、音声データや、データ放送データ等を含むＴＳパケットのＰＩＤ等の情報を取得し、データ分離部１０２に映像、音声、データ放送データ、必要に応じ印刷データの分離要求を行う。データ分離部１０２は、ＴＳから所望のチャンネルに関わる映像、音声、及びデータ放送データを分離し、映像デコード部１０３及び音声デコード部１０４に送出する。
【００５１】
次に、映像デコード部１０３で復号した映像データは、表示合成部１０５を介して表示制御部１０６に出力され、映像表示部１０８にて映像表示を行う。同時に、音声デコード部１０４で復号した音声データは、音声制御部１０７に出力され、音声出力部１０９にて音声出力を行う。選局制御部１１３は、上述のテレビ放送番組の番組視聴を開始する処理が正常に完了すると、番組視聴の開始処理の完了をシステム制御部１１１に通知する。
【００５２】
次に、システム制御部１１１は、番組視聴の開始処理が正常に完了したことの通知を受けると、データ分離部１０２に対し、ＰＡＴ、ＰＭＴのバージョン番号の更新の監視を要求する。データ分離部１０２は、本要求を受け付けた後、ＰＡＴ、ＰＭＴのバージョン番号の更新を検出した場合、更新の検出をシステム制御部１１１に通知する。
【００５３】
ここで、図４は、本発明の実施形態１に係る検証、説明を行う為に試用したＰＭＴの構造の一例である。尚、ＰＭＴの基本的な構造や文法に関する詳細に関しては、ＩＳＯ／ＩＥＣ１３８１８−１や非特許文献２等が、規定、記述している。
【００５４】
図４において、ＰＭＴのセクションヘッダ部４０１は、ＰＭＴのデータ長を認識する為の情報や選局チャンネル番号、及びＰＭＴのバージョン番号等が記述される領域である。ＰＭＴのバージョン番号は、番組を構成する映像、音声、及びデータ放送データ等の構成が変化した場合に更新する。
【００５５】
ＰＣＲ(Program Clock Reference)情報領域４０２は、ＰＣＲ情報を含むＴＳパケットのＰＩＤ等の情報を記述する領域である。番組関連記述領域４０３は、番組を構成するデータ全般に関する情報を含む領域であって、例えば、コピー制御情報等の情報について記述する領域である。
【００５６】
映像データ関連記述領域４０４は、番組を構成する映像データを含むＴＳパケットのＰＩＤやコピー制御情報等の情報を記述する領域である。音声データ関連記述領域４０５は、番組を構成する音声データを含むＴＳパケットのＰＩＤ等の情報を記述する領域である。データ放送データ関連記述領域４０６は、番組を構成するデータ放送データを含むＴＳパケットのＰＩＤ等の情報や、データ放送処理を直ちに開始するかどうかの放送局からの指示情報を記述する領域である。
【００５７】
印刷データ関連記述領域４０７は、本発明の実施形態１に係る検証の為に試験的にＰＭＴの基本構造や文法を拡張した領域であり、番組中に印刷制御データや印刷データが含まれることを示す情報や、印刷データを含むＴＳパケットのＰＩＤ等の情報を記述する。
【００５８】
例えば、stream_type
= ０ｘ１Ｄは、次に示すelementary_PIDで示すＰＩＤ値を有するＴＳパケットに印刷データを含むことを示す。elementary_PID = ０ｘ１Ｆ４１は、データカルーセル方式によって伝送される印刷データや、制御情報を含むＴＳパケットのＰＩＤが０ｘ１Ｆ４１であることを示す。ES_info_length = ０ｘ００３は、以下に続く印刷データに関する記述子情報の２０バイト数が３バイトであることを示す。stream_identifier_descriptor中に記述されるcomponent_tag
= ０ｘ５０は、このプリントコンテンツが現在受信中のチャンネルにおけるデフォルトコンテンツであることを示す。ＣＲＣ（Cyclic Redundancy Check）４０８は、ＰＭＴ受信時に誤りが無いかを確認する為に使用するＣＲＣ情報を記述する領域である。
【００５９】
＜録画制御機能＞
以下に、印刷制御装置１００が有するテレビ放送番組の番組録画を制御するための機能（録画制御機能）について説明する。
【００６０】
録画制御機能には、ユーザのリモコン１５２の操作によって、アンテナ２００を介し受信するＴＳが含む映像や音声、番組情報、データ放送データ、及び印刷データ等を番組記録部１２５に記録する番組録画機能がある。また、録画制御機能には、録画した番組を消去する録画番組消去機能がある。
【００６１】
番組録画機能の操作方法は、複数存在する。ユーザが、印刷制御装置１００が有する電子番組表（ＥＰＧ：Electronic Program Guide）から所望の番組を選択し録画する方法や、放送番組視聴中にリモコン１５２が備える録画キーを押下し録画する方法などである。以下、録画キーを押下することで録画する方法を一例として、番組録画機能の説明を行う。
【００６２】
システム制御部１１１は、ユーザのリモコン１５２の操作による操作情報に基づいて所望の録画番組を判定し、番組記録制御部１２４に放送番組の録画開始を要求する。ここで、リモコン操作は、録画・再生制御キー３０８のうち、録画キーの押下による。
【００６３】
番組記録制御部１２４は、録画の開始要求に基づき、Ｐ−ＴＳ生成部１２３に対してＰ−ＴＳの生成を要求する。Ｐ−ＴＳには、映像、音声、番組情報、データ放送及び印刷データの各パケットと、ＰＡＴ、ＰＭＴ、ＳＩＴ（Selection Information Table）、ＤＩＴ（Discontinuity
Information Table）を多重する。
【００６４】
番組記録制御部１２４は、Ｐ−ＴＳ生成部１２３で生成したＰ−ＴＳを受信し、番組記録部１２５に記録を行い、番組録画を実行する。更に、番組記録制御部１２４は、番組録画を実行開始すると共に録画番組管理テーブルの生成及び更新を行い、番組記録部１２５に記録する。番組記録部１２５には、ハードディスクや半導体メモリを初めとしたデータの記録、消去が可能なデバイスが適用可能である。本発明の実施形態では、番組記録部１２５は、ハードディスクである。
【００６５】
図５は、実施形態１における録画番組管理テーブルを概念的に説明する図である。
録画番組管理テーブルには、録画開始日時情報、録画終了日時情報、録画番組情報、コピー制御情報、印刷データ情報、及び番組記録位置情報を含む。録画番組管理テーブルで記すindexは、個々の録画番組に対応している。
【００６６】
録画開始日時情報は、録画を開始した日時情報を示す。例えば、index0の番組の録画開始日時は、２００７年１０月１９日１９時００分であることを示す。録画終了日時情報は、録画が完了した日時情報を示す。例えば、index0の番組の録画終了日時は、２００７年１０月１９日１９時２７分であることを示す。録画番組情報は、番組名、番組内容説明、放送チャンネル、放送時間情報（開始時刻と継続時間）等を示す。コピー制御情報は、録画番組のコピー可否や、コピー可の場合はコピー可能な回数やコピー世代情報を示す。
印刷データ情報は、番組録画時に記録するＰ-ＴＳ内への印刷制御データや印刷データの多重の有無を示す。例えば、前述の図４の４０７で示した領域がＰＭＴに記述されている場合は、印刷データ情報「有」となる。番組記録位置情報は、Ｐ−ＴＳの番組記録部１２５における記録位置、例えば、ハードディスクの場合には、トラックやセクタ情報等を示す。
【００６７】
番組録画の終了は、ユーザのリモコン１５２の操作、又は、録画中の番組の番組情報データが含む放送時間情報に基づき実行する。ここで、リモコン操作は、録画・再生制御キー３０８のうち、停止キーの押下による。
【００６８】
＜録画機器制御機能＞
以下に、印刷制御装置１００が有する、録画機器（録画装置２０３）を制御するための機能（録画機器制御機能）について説明する。録画機器制御機能には、主に３つの機能がある。第一の機能は、録画装置２０３が記録した録画番組を視聴する、外部の録画番組視聴機能である。第二の機能は、印刷制御装置１００が記録した録画番組、つまり、Ｐ−ＴＳを録画装置２０３に送出して記録させ、記録完了後、番組記録部１２５からＰ−ＴＳを消去する録画番組消去機能である。更に、第三の機能は、印刷制御装置１００が記録した録画番組を録画装置２０３に送出し、記録する録画番組移動（コピー又はムーブ）機能である。録画番組移動機能は、図５の録画番組管理テーブルが含むコピー制御情報に基づいてコピー実行可能かを判断し、実行する。
【００６９】
＜データ放送ブラウズ機能、及び印刷機能＞
データ放送ブラウズ機能とは、データカルーセル方式によりＴＳ、或いはＰ−ＴＳに繰り返し多重されたデータ放送データを映像表示部１０８に表示する機能と、音声を音声出力部１０９から出力する機能である。
【００７０】
データ放送の印刷機能には、以下の３つの機能がある。第一の機能は、データカルーセル方式により多重される印刷データを取得し、印刷装置２０４に印刷要求する機能である。第二の機能は、データ放送ブラウズ機能により表示したデータ放送画面をキャプチャし、印刷装置２０４に印刷要求する機能である。第三の機能は、データ放送データに含まれるURIが指し示す、インターネット上のコンテンツサーバ２０６に存在する印刷データを印刷装置２０４に印刷要求する機能である。なお、上記のURIも本発明においては印刷データとして定義している。
【００７１】
データ放送データには、テキスト情報、表示レイアウト情報、スクリプト情報、静止画像情報、及び音声情報等が含まれる。テキスト情報は、非特許文献１、及び、非特許文献２が規定するＸＭＬ（Extensible Markup Language）ベースのデータ放送向けのページ記述言語であるＢＭＬ（Broadcast Markup Language）によって記述する。表示レイアウト情報には、ＣＳＳ（Cascading
Style Sheets）、スクリプト情報には、EcmaScriptを用いる。更に、ＢＭＬの論理的構造や情報へのアクセス、及び操作を行う為の手段として、ＤＯＭ（Document Object Model）を用いる。
【００７２】
＜警告メッセージ＞
本実施形態の「警告メッセージ」とは、録画番組消去機能、又は録画番組移動機能を実行する際、Ｐ−ＴＳに印刷制御データを含む場合は、印刷制御データや印刷データも同時に消え、印刷する機会を喪失してしまうことをユーザへ通知（警告）するものである。
【００７３】
図６は、番組視聴表示から警告メッセージを表示するまでのユーザ操作と画面表示例の遷移の関係である。図６の番組映像の画面表示６０１は、映像表示部１０８にて表示中の画面である。
画面表示６０１中に、ユーザがリモコン１５２の録画・再生制御キー３０８のリストキーを押下すると、映像表示部１０８は、番組記録部１２５に記録された録画番組の一覧である録画番組リスト６０２を表示する。
【００７４】
録画番組リスト６０２の表示中に、ユーザは、リモコン１５２のカーソルキー３０３を押下することでフォーカス６０３を遷移表示させ、次の動作を選択・決定する。例えば、録画番組リスト６０２の表示の状態で、ユーザが決定キー３０４を押下すると、フォーカス６０３があたっている「番組名：ＡＢＣ」の録画番組の視聴を開始することができる。録画番組の視聴を開始すると、映像表示部１０８は、番組映像画面表示６０５に遷移する。また、ユーザが、録画番組リスト６０２の表示中、録画・再生制御キー３０８のオプションキーを押下すると、録画番組の処理を選択する選択画面６０４を表示する。
【００７５】
選択画面６０４の表示中、ユーザがリモコン１５２のカーソルキー３０３を押下すると、フォーカス６０３が遷移表示する。選択画面６０４の表示中、ユーザはフォーカス６０３を遷移表示させ、次の処理候補である「録画番組の視聴処理」「録画番組リスト表示に戻る処理」「録画番組の消去処理」「録画番組の移動処理」のうちから一つの処理動作を選択・決定する。
【００７６】
例えば、ユーザが、「視聴する」にフォーカス６０３があたっている状態で、決定キー３０４を押下すると、録画番組の視聴を開始することができる。また、ユーザが、「前に戻る」にフォーカス６０３があたっている状態で、決定キー３０４を押下すると、録画番組リスト６０２の表示に戻る。また、ユーザが、所定の操作、即ち、「消去する」にフォーカス６０３があたっている状態で、決定キー３０４を押下すると、消去する録画番組に印刷コンテンツを含む場合には、映像表示部１０８は、警告メッセージ６０６を表示する。ここで、消去する録画番組に印刷コンテンツを含まない場合には、消去を実行する。また、ユーザが、「移動する」にフォーカス６０３があたっている状態で、決定キー３０４を押下すると、移動する録画番組に印刷コンテンツを含む場合には、映像表示部１０８は、警告メッセージ６０７を表示する。ここで、移動する録画番組に印刷コンテンツを含まない場合には、移動を実行する。
【００７７】
尚、映像表示部１０８は、システム制御部１１１の要求に基づき、グラフィック生成部１１０において表示データを生成する。そして、映像表示部１０８は、表示合成部１０５、表示制御部１０６を介し、前述の録画番組リスト６０２、フォーカス６０３、選択画面６０４、警告メッセージ６０６、若しくは、警告メッセージ６０７を表示する。
【００７８】
図７は、警告メッセージ６０６及び警告メッセージ６０７の表示の判定動作を含むフローチャートの一例である。本動作は、選択画面６０４の表示中に、システム制御部１１１がリモコン１５２によるユーザ操作を受け付けた時点で開始する。
【００７９】
まず、ステップＳ７０１では、システム制御部１１１は、通知要否判定部１１９に対し、選択画面６０４上のフォーカス６０３表示位置情報とリモコン１５２からのキー操作情報に基づき、録画番組の処理方法の判定要求処理を行う。次にＳ７０２、Ｓ７０３、Ｓ７０４、及びＳ７０５の各々のステップで、判定結果に基づく分岐処理を行う。
【００８０】
ステップＳ７０２では、通知要否判定部１１９が、録画番組の視聴要求であると判定した場合には、ステップＳ７０６に進み、通知要否判定部１１９は、システム制御部１１１に録画番組の視聴開始処理を要求する。ここで、録画番組の視聴要求ではないと判定した場合には、ステップＳ７０３に進む。
【００８１】
次に、ステップＳ７０３において、通知要否判定部１１９が、録画番組の消去要求であると判定した場合には、ステップＳ７０８に進み、録画番組の消去要求ではないと判定した場合には、ステップＳ７０４に進む。
【００８２】
次に、ステップＳ７０４において、通知要否判定部１１９が、録画番組の移動要求であると判定した場合には、ステップＳ７０８に進み、録画番組の移動要求ではないと判定した場合には、ステップＳ７０５に進む。
【００８３】
次に、ステップＳ７０５において、通知要否判定部１１９が、録画番組リスト表示に戻る要求であると判定した場合には、ステップＳ７０７に進み、通知要否判定部１１９は、システム制御部１１１に録画番組リスト表示を要求する。ここで、通知要否判定部１１９が、録画番組リスト表示に戻る要求ではないと判定した場合には、図７のフロー処理を終了する。
【００８４】
更に、ステップＳ７０８において、通知要否判定部１１９は、番組記録制御部１２４を介し、番組記録部１２５に記録された録画番組管理テーブルから、消去、又は移動対象となる録画番組の「印刷データ情報」を取得する。その後、通知要否判定部１１９は、Ｐ−ＴＳ内の印刷制御データや印刷データの有無を判定する。
【００８５】
そして、ステップＳ７０９において、通知要否判定部１１９が、印刷制御データや印刷データがあると判定した場合には、ステップＳ７１０に進む。その後、通知要否判定部１１９は、システム制御部１１１に録画番組の消去、或いは移動要求があったかの情報と共に、印刷の機会を喪失してしまうおそれがあることを警告する「警告表示処理」を要求する。ここで、通知要否判定部１１９が、印刷制御データや印刷データがないと判定した場合には、ステップＳ７１１に進む。
【００８６】
ステップＳ７１１において、通知要否判定部１１９は、システム制御部１１１に対し、録画番組の消去、或いは移動要求があったかの情報と共に「録画番組の消去、又は移動処理」を要求し、図７のフロー処理を終了する。
【００８７】
ステップＳ７１０において、システム制御部１１１は、通知要否判定部１１９から録画番組の消去要求情報を伴う「警告表示処理」要求があった場合、警告メッセージ６０６の表示処理を実行する。或いは、システム制御部１１１は、通知要否判定部１１９から録画番組の移動要求情報を伴う「警告表示処理」要求があった場合、警告メッセージ６０７の表示処理を実行する。
【００８８】
したがって、警告メッセージ６０６、或いは警告メッセージ６０７の表示を見たユーザは、消去、或いは移動を実行しようとしている録画番組、つまりＰ-ＴＳに印刷コンテンツが含まれていることを認識することが可能となる。
【００８９】
そして、ステップＳ７１２において、通知要否判定部１１９は、警告メッセージ表示中のユーザ選択に基づき、消去、或いは移動処理を継続するかを判定する。ここで、ユーザが、警告メッセージ表示中、「はい」を選択した場合には、ステップＳ７１１に進む。一方、「いいえ」を選択した場合には、図７のフロー処理を終了する。
【００９０】
以上、本実施形態１によれば、印刷制御装置１００は、印刷制御装置内に記録したＰ−ＴＳを消去、若しくは、移動する際、Ｐ−ＴＳに印刷制御データや印刷データを含む場合に、ユーザに印刷ができなくなることを通知する。この通知により、ユーザは、消去、或いは移動を実行しようとしているＰ-ＴＳに印刷データが含まれていることを認識し、消去、移動を中断することで、印刷コンテンツの印刷機会を得ることができる。
更には、印刷コンテンツを提供する者のニーズを満たしつつ、かつ、ユーザが印刷コンテンツの入手機会を喪失しないようにすることができる。
【００９１】
（実施形態２）
本発明の実施形態２では、ユーザが、印刷していない印刷データを含む録画済みＰ−ＴＳを消去、若しくは、移動する場合に、上述のような警告メッセージの表示を行う例について説明する。
【００９２】
図８は、本発明の実施形態２である印刷制御装置８００の構成を示す図である。図８において、図１と符号が同様なものは、各々同等の機能を有する。
【００９３】
＜番組録画制御機能＞
以下に、印刷制御装置８００が有するテレビ放送番組の番組録画制御機能について、実施形態１と異なる点を中心に説明する。
【００９４】
図９に、本発明の実施形態２に係る検証、説明を行う為に試用したＴＳに多重する印刷データの付帯情報を記述するテーブルであるＰＩＴ（Print Information Table）の構造の一例を示す。尚、ＰＩＴの基本的な構造や文法に関する詳細は、ＩＳＯ／ＩＥＣ１３８１８−１や非特許文献２等に規定、記述するＥＩＴと同等である。
【００９５】
図９において、ＰＩＴのセクションヘッダ情報領域９０１は、ＰＩＴのデータ長を認識する為の情報や、ＰＩＴのバージョン番号が記述される領域である。ＰＩＴのバージョン番号は、Ｐ−ＴＳが含む印刷データの構成が変化した場合に更新する。印刷データ数情報領域９０２は、ＰＩＴに記述の印刷データの数を記述する領域である。
【００９６】
印刷データのパラメータ記述領域９０３は、印刷データに付与する識別ＩＤ値、印刷データのＴＳへの多重開始日時情報、印刷データ１のＴＳへの多重継続時間情報を記述する領域である。印刷データのパラメータ記述領域９０４は、印刷データをＴＳから取得する為に必要なＰＩＤ、ＤＩＩ、ＤＤＢ、モジュールＩＤに関する情報を記述する領域である。ＣＲＣ９０５は、ＰＩＴ受信時に誤りがないかを確認する為に使用するＣＲＣ情報を記述する領域である。
【００９７】
まず、番組記録制御部８２４は、録画開始要求に基づき、Ｐ−ＴＳ生成部８２３に対し、Ｐ−ＴＳの生成を要求する。本発明の実施形態２に係るＰ−ＴＳには、映像、音声、番組情報データやデータ放送データ、及び印刷データの各ＴＳパケットと、ＰＡＴ、ＰＭＴ、ＳＩＴ、ＤＩＴ、ＰＩＴを多重するよう構成した。
【００９８】
ここで、番組記録制御部８２４は、Ｐ−ＴＳ生成部８２３で生成したＰ−ＴＳを受信し、番組記録部１２５に記録を行い、番組録画を実行する。番組記録制御部（保持手段）８２４は、番組録画を実行開始すると共に録画番組管理テーブルの生成及び更新を行い、番組記録部１２５に記録する。
【００９９】
図１０は、実施形態２における録画番組管理テーブルを概念的に説明する図である。録画番組管理テーブルには、録画開始日時情報、録画終了日時情報、録画番組情報、コピー制御情報、印刷データ数情報、印刷済データ数情報、番組記録位置情報を含む。図５で示した録画番組管理テーブルとの違いは、「印刷データ情報」に代わり、「印刷データ数情報」、及び印刷履歴である「印刷済データ数情報」を含む点である。
【０１００】
印刷データ数情報は、図９の印刷データ数情報領域９０２が含む印刷データの数に基づき、設定する。印刷済データ数情報は、Ｐ−ＴＳが含む複数の印刷データのうち、印刷済みのデータ数を示す情報である。印刷データ数情報と印刷済データ数情報の値が一致していない場合、Ｐ−ＴＳ中に印刷していない印刷データを含むと判定できる。複数の印刷データのうち、どの印刷データが印刷済みかどうかは、図９のパラメータ記述領域９０３で示した記述領域が含む複数の印刷データ毎に付与されている識別ＩＤ値に基づき、識別する。
【０１０１】
＜警告メッセージ＞
本実施形態の「警告メッセージ」とは、録画番組消去機能、又は録画番組移動機能を実行する際、Ｐ−ＴＳに印刷データを含む場合は、印刷制御データや印刷データも同時に消え、印刷する機会を喪失してしまうことをユーザへ通知（警告）するものである。
【０１０２】
図１１は、警告メッセージ表示の判定動作を含むフローチャートの一例である。ステップＳ１１０１〜Ｓ１１０７は、各々、図７のステップＳ７０１〜Ｓ７０７と同様の処理の為、説明を割愛する。
【０１０３】
まず、ステップＳ１１０８において、通知要否判定部８１９は、番組記録制御部８２４を介し、番組記録部１２５に保持された録画番組管理テーブルから、対応する録画番組の「印刷済データ数情報」を取得し、Ｐ−ＴＳ内に未印刷データがあるかを判定する。
【０１０４】
ステップＳ１１０９において、通知要否判定部８１９が、未印刷データがあると判定した場合には、ステップＳ１１１０に進む。その後、通知要否判定部８１９は、システム制御部８１１に録画番組の消去、或いは移動要求があったかの情報と共に「警告表示処理」を要求する。一方、通知要否判定部８１９が、未印刷の印刷データがないと判定した場合には、ステップＳ１１１１に進む。
【０１０５】
ステップＳ１１１１において、通知要否判定部８１９は、システム制御部８１１に録画番組の消去、或いは移動要求があったかの情報と共に「録画番組の消去、又は移動処理」を要求し、図１１のフロー処理を終了する。
【０１０６】
ここで、図１２（ａ）に、録画番組の消去要求があった場合に表示する「警告メッセージ１２０６」の一例、及び、図１２（ｂ）に、録画番組の移動要求があった場合に表示する「警告メッセージ１２０７」の一例を示す。
【０１０７】
警告メッセージ１２０６、或いは、警告メッセージ１２０７の表示を見たユーザは、消去、或いは移動を実行しようとしている録画番組、つまりＰ-ＴＳに印刷していない印刷コンテンツが含まれていることを認識することができる。
【０１０８】
そして、ステップＳ１１１２において、通知要否判定部８１９は、警告メッセージ表示中のユーザ選択に基づき、消去、或いは移動処理を継続するかを判定する。警告メッセージ表示中、「はい」が選択された場合には、ステップＳ１１１１に進む。一方、「いいえ」が選択された場合には、図１１のフロー処理を終了する。
【０１０９】
以上、本実施形態２によれば、印刷制御装置８００は、印刷制御装置内に記録したＰ−ＴＳを消去、移動する際、Ｐ−ＴＳに印刷を行なっていない印刷データを含む場合に、ユーザに印刷ができなくなることを通知する。この通知により、ユーザは、消去、或いは移動を実行しようとしているＰ-ＴＳに未印刷の印刷データが含まれていることを認識し、消去、移動を中断することで、印刷データの印刷機会を得ることができる。
更には、印刷コンテンツを提供する者のニーズを満たしつつ、かつ、ユーザが印刷コンテンツの入手機会を喪失しないようにすることができる。
【０１１０】
（実施形態３）
本発明の実施形態３では、印刷データに有効期限が設定されており、有効期限が切れていない印刷データを含む録画済みＰ−ＴＳを消去、若しくは、移動する場合に、警告メッセージの表示を行う例について説明する。
【０１１１】
図１３は、本発明の実施形態３である印刷制御装置１３００の構成を示す図である。図１３において、図１と符号が同様なものは、各々同等の機能を有する。
【０１１２】
＜番組録画制御機能＞
以下に、印刷制御装置１３００が有するテレビ放送番組の番組録画制御機能について、実施形態１及び実施形態２と異なる点を中心に説明する。図１４に、本発明の実施形態３に係る検証、説明を行う為に試用したＴＳに多重するＰＩＴの一例の構造を示す。
【０１１３】
図１４において、印刷データのパラメータ記述領域１４０３は、印刷データに付与されている識別ＩＤ値、印刷データ１のＴＳへの多重開始日時情報、印刷データ１のＴＳへの多重継続時間情報、及び印刷データ１の有効期限日時情報を記述する領域である。印刷データの有効期限日時情報は、印刷データの印刷が可能な日時を示す情報であり、その日時を超えた場合には、印刷データの有効期限が切れたとみなし、印刷できないよう制御する為に利用する。
【０１１４】
まず、番組記録制御部１３２４は、録画開始要求に基づき、Ｐ−ＴＳ生成部１３２３に対し、Ｐ−ＴＳの生成を要求する。本発明の実施形態３に係るＰ−ＴＳには、映像、音声、番組情報データやデータ放送データ、及び印刷データの各ＴＳパケットと、ＰＡＴ、ＰＭＴ、ＳＩＴ、ＤＩＴ、ＰＩＴを多重するよう構成した。
【０１１５】
番組記録制御部１３２４は、Ｐ−ＴＳ生成部１３２３で生成したＰ−ＴＳを受信し、番組記録部１２５に記録を行い、番組録画を実行する。また、番組記録制御部１３２４は、番組録画を実行開始すると共に録画番組管理テーブルの生成及び更新を行い、番組記録部１２５に記録する。
【０１１６】
図１５に、実施形態３における録画番組管理テーブルを概念的に説明する図を示す。
録画番組管理テーブルには、録画開始日時情報、録画終了日時情報、録画番組情報、コピー制御情報、印刷データ数情報、有効期限内印刷データ数情報、及び番組記録位置情報を含む。図５で示した録画番組管理テーブルとの違いは、「印刷データ情報」に代わり、「印刷データ数情報」、及び「有効期限内印刷データ数情報」を含む点である。
【０１１７】
有効期限内印刷データ数情報は、Ｐ−ＴＳが含む複数の印刷データのうち、有効期限の切れていないデータ数を示す情報である。有効期限内印刷データ数情報の値が「０」ではない場合に、Ｐ−ＴＳ中に有効期限が切れていない印刷データを含むと判定できる。複数の印刷データのうち、どの印刷データの有効期限が切れていないかどうかは、図１４の１４０３で示した記述領域が含む有効期限日時情報と放送波から取得する現在日時情報に基づき、識別する。
【０１１８】
＜警告メッセージ＞
本実施形態の「警告メッセージ」とは、録画番組消去機能、又は録画番組移動機能を実行する際、Ｐ−ＴＳに印刷データを含む場合は、印刷制御データや印刷データも同時に消え、印刷する機会を喪失してしまうことをユーザへ通知（警告）するメッセージである。
【０１１９】
図１６は、警告メッセージ表示の判定動作を含むフローチャートの一例である。ステップＳ１６０１〜Ｓ１６０７は、各々、図７のステップＳ７０１〜Ｓ７０７と同様の処理の為、説明を割愛する。
【０１２０】
まず、ステップＳ１６０８において、通知要否判定部１３２５は、番組記録制御部１３２４を介し、番組記録部１２５に記録された録画番組管理テーブルから、対応する録画番組の「有効期限内印刷データ数情報」を取得する。そして、通知要否判定部１３２５は、Ｐ−ＴＳ内に有効期限が切れていない印刷データがあるかを判定する。
【０１２１】
次に、ステップＳ１６０９において、通知要否判定部１３２５が、有効期限が切れていない印刷データがあると判定した場合には、ステップＳ１６１０に進む。そして、通知要否判定部１３２５は、システム制御部１３１１に録画番組の消去、或いは移動要求があったかの情報と共に「警告表示処理」を要求する。一方、通知要否判定部１３２５が、有効期限が切れていない印刷データがないと判定した場合には、ステップＳ１６１１に進む。
【０１２２】
ステップＳ１６１１において、通知要否判定部１３２５は、システム制御部１３１１に録画番組の消去、或いは移動要求があったかの情報と共に「録画番組の消去、又は移動処理」を要求し、図１６のフロー処理を終了する。
【０１２３】
図１７（ａ）に、録画番組の消去要求があった場合に表示する「警告メッセージ１７０６」の一例、及び、図１７（ｂ）に、録画番組の移動要求があった場合に表示する「警告メッセージ１７０７」の一例を示す。
【０１２４】
警告メッセージ１７０６、或いは、警告メッセージ１７０７の表示を見たユーザは、消去、或いは移動を実行しようとしている録画番組、つまりＰ-ＴＳに有効期限の切れていない印刷コンテンツが含まれていることを認識することが可能となる。
【０１２５】
そして、ステップＳ１６１２において、通知要否判定部１３２５は、警告メッセージ表示中のユーザ選択に基づき、消去、或いは移動処理を継続するかを判定する。印刷機会喪失警告メッセージ表示中、「はい」が選択された場合には、ステップＳ１１１１に進む。一方、「いいえ」が選択された場合には、図１６のフロー処理を終了する。
【０１２６】
以上、本実施形態３によれば、印刷制御装置１３００は、印刷制御装置内に記録したＰ−ＴＳを消去、移動する際、Ｐ−ＴＳに有効期限の切れていない印刷データを含む場合に、ユーザに印刷ができなくなることを通知する。この通知により、ユーザは、消去、或いは移動を実行しようとしているＰ-ＴＳに有効期限が切れていない印刷データが含まれていることを認識し、消去、移動を中断することで、印刷データの印刷機会を得ることができる。更には、印刷コンテンツを提供する者のニーズを満たしつつ、かつ、ユーザが印刷コンテンツの入手機会を喪失しないようにすることができる。
【０１２７】
（実施形態４）
本発明の実施形態４では、Ｐ−ＴＳ、或いはインターネット上に存在するコンテンツサーバから取得可能な印刷データを含む録画済みＰ−ＴＳを消去、若しくは、移動する場合に、警告メッセージの表示を行う例について説明する。
【０１２８】
図１８は、本発明の実施形態４である印刷制御装置１８００の構成を示す図である。図１８において、図１と符号が同様なものは、各々同等の機能を有する。
【０１２９】
＜番組録画制御機能＞
以下に、印刷制御装置１８００が有するテレビ放送番組の番組録画制御機能について、実施形態１〜３と異なる点を中心に説明する。
【０１３０】
図１９に、本発明の実施形態４に係る検証、説明を行う為に試用したＴＳに多重するＰＩＴの構造の一例を示す。図１９において、印刷データのパラメータ記述領域１９０４は、印刷データをＴＳから取得する為に必要なＰＩＤ、ＤＩＩ、ＤＤＢ、モジュールＩＤに関する情報を記述する領域である。加えて、インターネット上のコンテンツサーバから印刷データを取得する必要がある場合は、その取得先ＵＲＩ（Uniform Resource Indicator）を記載する。
【０１３１】
まず、番組記録制御部１８２４は、録画開始要求に基づいてＰ−ＴＳ生成部１８２３に対し、Ｐ−ＴＳの生成を要求する。本発明の実施形態４に係るＰ−ＴＳには、映像、音声、番組情報データやデータ放送データ、及び印刷データの各ＴＳパケットと、ＰＡＴ、ＰＭＴ、ＳＩＴ、ＤＩＴ、ＰＩＴを多重するよう構成した。
【０１３２】
番組記録制御部１８２４は、Ｐ−ＴＳ生成部１８２３で生成したＰ−ＴＳを受信し、番組記録部１２５に記録を行い、番組録画を実行する。番組記録制御部１８２４は、番組録画を実行開始すると共に録画番組管理テーブルの生成及び更新を行い、番組記録部１２５に記録する。
【０１３３】
図２０に、実施形態４における録画番組管理テーブルを概念的に説明する図を示す。
録画番組管理テーブルには、録画開始日時情報、録画終了日時情報、録画番組情報、コピー制御情報、印刷データ数情報、印刷データ取得先ＵＲＩ参照情報、及び番組記録位置情報を含む。図５で示した録画番組管理テーブルとの違いは、「印刷データ情報」に代わり、「印刷データ取得先ＵＲＩ参照情報」を含む点である。
【０１３４】
印刷データ取得先ＵＲＩ参照情報には、インターネット２０５上に存在するコンテンツサーバ（外部サーバ）２０６から取得する必要のある印刷データの取得先ＵＲＬの一覧を記述する「印刷データ取得先ＵＲＩ一覧テーブル」参照先情報を記述する。「印刷データ取得先ＵＲＩ一覧テーブル」は、番組記録制御部１８２４が、図１９のＰＩＴのパラメータ記述領域１９０４に示された印刷データの取得先ＵＲＩ情報に基づき生成し、番組記録部１２５に記録する。
【０１３５】
＜警告メッセージ＞
本実施形態の「警告メッセージ」とは、録画番組消去機能、又は録画番組移動機能を実行する際、Ｐ−ＴＳ、或いはコンテンツサーバ２０６から取得可能な印刷データを含む場合は、印刷データ等が同時に消えることをユーザへ通知（警告）するものである。
【０１３６】
図２１は、警告メッセージ表示の判定動作を含むフローチャートの一例である。ステップＳ１６０１〜Ｓ１６０７は、各々、図７のステップＳ７０１〜Ｓ７０７と同様の処理の為、説明を割愛する。
【０１３７】
まず、ステップＳ２１０８において、通知要否判定部１８２５は、番組記録制御部１８２４を介し、番組記録部１２５に記録された録画番組管理テーブルから、対応する録画番組の「印刷データ数情報」を取得する。同時に、通知要否判定部１８２５は、印刷データ取得先のＵＲＩ一覧テーブルの「参照先情報」も取得し、取得可能な印刷データの有無判定を行う。
【０１３８】
次に、ステップＳ２１０９において、「印刷データ数情報」が「０」の場合は、印刷データが無いと判断し、ステップＳ２１１１に進む。一方、「印刷データ数情報」が「０」ではなく、「参照先情報」の記述が無ければ、印刷データはＰ−ＴＳに含まれると判断し、印刷データ有りと判断、ステップＳ２１１０に進む。
また、「印刷データ数情報」が「０」ではなく、「参照先情報」の記述が有れば、通知要否判定部１８２５は、テーブルに記述の印刷データの取得先ＵＲＬ情報に基づき、コンテンツサーバ２０６に印刷データがあるかどうかを判定する。ここで、コンテンツサーバ２０６に印刷データがあるかどうかの問い合わせは、通信制御部１２１を介し、ＨＴＴＰ（Hyper Text
Transfer Protocol）のＧＥＴメソッドによるリクエスト送信により行う。
【０１３９】
ＨＴＴＰによるリクエストが正常に受け付けられたことを示すレスポンスである「200 OK」が得られた場合は、ステップＳ２１０９で、印刷データ有りと判断、ステップＳ２１１０に進む。ＨＴＴＰによるリクエストにより指定したＵＲＩに、一致するリソースを見つけられなかったことを示す「404
Not Found」が得られた場合、ステップＳ２１０９で、印刷データが無いと判断し、ステップＳ２１１１に進む。
【０１４０】
次に、ステップＳ２１１０において、通知要否判定部１８２５は、システム制御部１８１１に録画番組の消去、或いは移動要求があったかの情報と共に「警告表示処理」を要求する。ここで、表示する警告メッセージは、図６で示した警告メッセージ６０６、又は警告メッセージ６０７と同様でよい。
【０１４１】
一方、ステップＳ２１１１において、通知要否判定部１８２５は、システム制御部１８１１に録画番組の消去、或いは移動要求があったかの情報と共に「録画番組の消去、又は移動処理」を要求し、フロー処理を終了する。
【０１４２】
警告メッセージ６０６、６０７の表示を見たユーザは、消去、或いは移動を実行しようとしている録画番組に、取得可能な印刷コンテンツが含まれていることを認識することが可能となる。
【０１４３】
更に、ステップＳ２１１２において、通知要否判定部１８２５は、警告メッセージ表示中のユーザ選択に基づき、消去、或いは移動処理を継続するかを判定する。警告メッセージ表示中、「はい」が選択された場合には、ステップＳ２１１１に進む。一方、「いいえ」が選択された場合には、図２１のフロー処理を終了する。
【０１４４】
以上、本実施形態４によれば、印刷制御装置１８００は、印刷制御装置内に記録したＰ−ＴＳを消去、移動する際、Ｐ−ＴＳ、或いはコンテンツサーバから取得可能な印刷データを含む印刷データを含む場合のみに、ユーザに印刷ができなくなることを通知する。この通知により、ユーザは、消去、或いは移動を実行しようとしているＰ-ＴＳに印刷可能な印刷データが含まれていることを認識し、消去、移動を中断することで、印刷データの印刷機会を得ることができる。
更には、印刷データを提供する者のニーズを満たしつつ、かつ、ユーザが印刷コンテンツの入手機会を喪失しないようにすることができる。
【０１４５】
（実施形態５）
本発明の実施形態５では、録画済みのＰ−ＴＳが含む映像及び音声データを変換して再記録する場合にも、警告メッセージの表示を行う例について説明する。図２２は、本発明の実施形態５である印刷制御装置２２００の構成を示す図である。図２２において、図１と符号が同様なものは、各々同等の機能を有する。
【０１４６】
印刷制御装置２２００と印刷制御装置１００との構成上の大きな差異は、印刷制御装置２２００は、変換制御部２２２５を備える点にある。変換制御部２２２５は、アンテナ２００を介し受信するテレビ放送番組をＰ−ＴＳよりも小容量のデータサイズになるよう変換し、番組記録部１２５に記録する。また、番組記録部１２５に記録済みのＰ−ＴＳをより小容量のデータサイズになるよう変換し、番組記録部１２５に再記録する為に用いる。本実施形態では、その変換方式に、デジタル放送等で採用されているコピー制御方式への対応が可能なＤＶＤ−ＶＲモードを利用している。
【０１４７】
＜警告メッセージ＞
本実施形態５の「警告メッセージ」とは、変換制御部２２２５による録画番組変換機能を実行する際、Ｐ−ＴＳに印刷データを含む場合は、印刷制御データや印刷データも同時に消え、印刷する機会を喪失してしまうことをユーザへ通知（警告）するものである。
【０１４８】
図２３は、番組視聴表示から警告メッセージを表示するまでのユーザ操作と画面表示例の遷移の関係である。図２３において、図６と符号が同様なものは、各々同等の意味をもつ。
【０１４９】
選択画面６０４表示中、ユーザが、リモコン１５２のカーソルキー３０３を押下すると、フォーカス６０３が遷移表示する。選択画面６０４表示中、ユーザは、フォーカス６０３を遷移表示させる。その後、ユーザは、次の処理候補である「録画番組の視聴処理」、「録画番組リスト表示に戻る処理」、「録画番組の消去処理」、「録画番組の移動処理」、及び「録画番組の変換処理」のうちから一つの処理動作を選択・決定する。
【０１５０】
例えば、「変換する」にフォーカス６０３があたっている状態で、決定キー３０４を押下することで、変換する録画番組に印刷コンテンツを含む場合には、録画番組消去時の警告メッセージ２３０８が表示される。一方、変換する録画番組に印刷コンテンツを含まない場合には、変換を実行する。
【０１５１】
図２４は、警告メッセージ６０６、警告メッセージ６０７、警告メッセージ２３０８表示の判定動作を含むフローチャートの一例である。本動作は、選択画面６０４表示中、システム制御部２２１１がリモコン１５２によるユーザ操作を受け付けた時点で開始する。
【０１５２】
まず、ステップＳ２４０１において、システム制御部２２１１は、通知要否判定部２２１９に対し、選択画面６０４上のフォーカス６０３表示位置情報とリモコン１５２からのキー操作情報に基づく、録画番組の処理方法の判定要求処理を行う。以下、ステップＳ２４０２、Ｓ２４０３、Ｓ２４０４、Ｓ２４１３、及びＳ２４０５の各々のステップで、録画番組の処理方法の判定を行う。
【０１５３】
ステップＳ２４０２において、通知要否判定部２２１９が、録画番組の視聴要求であると判定した場合には、ステップＳ２４０６に進み、通知要否判定部２２１９は、システム制御部２２１１に録画番組の視聴開始処理を要求する。一方、録画番組の視聴要求ではないと判定した場合には、ステップＳ２４０３に進む。
【０１５４】
ステップＳ２４０３において、通知要否判定部２２１９が、録画番組の消去要求であると判定した場合には、ステップＳ２４０８に進み、一方、録画番組の消去要求ではないと判定した場合には、ステップＳ２４０４に進む。
【０１５５】
ステップＳ２６０４において、通知要否判定部２２１９が、録画番組の移動要求であると判定した場合には、ステップＳ２４０８に進み、一方、録画番組の移動要求ではないと判定した場合には、ステップＳ２４１３に進む。
【０１５６】
ステップＳ２４１３において、通知要否判定部２２１９が、録画番組の返還要求であると判定した場合には、ステップＳ２４０８に進み、一方、録画番組の変換要求ではないと判定した場合には、ステップＳ２４０５に進む。
【０１５７】
ステップＳ２４０５において、通知要否判定部２２１９が、録画番組リスト表示に戻る要求であると判定した場合には、ステップＳ２４０７に進み、通知要否判定部２２１９は、システム制御部２２１１に録画番組リスト表示を要求する。一方、録画番組リスト表示に戻る要求ではないと判定した場合には、図２４のフロー処理を終了する。
【０１５８】
次に、ステップＳ２４０８において、通知要否判定部２２１９は、番組記録制御部２２２４を介し、番組記録部１２５に記録された録画番組管理テーブルから、対応する録画番組の「印刷データ情報」を取得する。その後、通知要否判定部２２１９は、Ｐ−ＴＳ内の印刷制御データや印刷データの有無を判定する。
【０１５９】
ステップＳ２４０９において、通知要否判定部２２１９が、印刷制御データや印刷データがあると判定した場合には、ステップＳ２４１０に進む。その後、通知要否判定部２２１９は、システム制御部２２１１に録画番組の消去、移動、或いは変換要求があったかの情報と共に「警告表示処理」を要求する。一方、印刷制御データや印刷データがないと判定した場合には、ステップＳ２４１１に進む。
【０１６０】
ステップＳ２４１１において、通知要否判定部２２１９は、システム制御部２２１１に録画番組の消去、移動、或いは変換要求があったかの情報と共に「録画番組の消去、移動、又は変換処理」を要求し、図２４のフロー処理を終了する。
【０１６１】
ステップＳ２４１０において、システム制御部２２１１は、通知要否判定部２２１９から録画番組の消去要求情報を伴う「警告表示処理」要求があった場合、警告メッセージ６０６の表示処理を実行する。又は、システム制御部２２１１は、通知要否判定部２２１９から録画番組の移動要求情報を伴う「警告表示処理」要求があった場合、警告メッセージ６０７の表示処理を実行する。更には、システム制御部２２１１は、通知要否判定部２２１９から録画番組の変換要求情報を伴う「警告表示処理」要求があった場合、警告メッセージ２３０８の表示処理を実行する。
【０１６２】
警告メッセージ６０６、警告メッセージ６０７、或いは警告メッセージ２３０８の表示を見たユーザは、消去、移動、或いは変換を実行しようとしている録画番組、つまりＰ-ＴＳに印刷コンテンツが含まれていることを認識することが可能となる。
【０１６３】
更に、ステップＳ２４１２で、通知要否判定部２２１９は、警告メッセージ表示中のユーザ選択に基づき、消去、移動、或いは変換処理を継続するかを判定する。
警告メッセージ表示中、「はい」が選択された場合には、ステップＳ２４１１に進む。一方、「いいえ」が選択された場合には、図２４のフロー処理を終了する。
【０１６４】
以上、本実施形態５によれば、印刷制御装置２２００は、印刷制御装置内に記録したＰ−ＴＳを消去、移動、又は変換する際、Ｐ−ＴＳに印刷データを含む場合に、ユーザに印刷ができなくなることを通知する。この通知により、ユーザは、消去、移動、或いは変換を実行しようとしているＰ-ＴＳに印刷可能な印刷データが含まれていることを認識し、消去、移動、変換を中断することで、印刷データの印刷機会を得ることができる。
更には、印刷コンテンツを提供する者のニーズを満たしつつ、かつ、ユーザが印刷コンテンツの入手機会を喪失しないようにすることができる。
【０１６５】
（実施形態６）
本発明の実施形態６では、印刷制御装置２５００が印刷制御可能な印刷装置（プリンタ）２０４を検出している、或いは、検出していた場合にのみ、印刷する機会を喪失してしまうことをユーザへ通知する警告メッセージの表示を行う例について説明する。
【０１６６】
図２５は、本発明の実施形態６である印刷制御装置２５００の構成を示す図である。図２５において、図１と符号が同様なものは、各々同等の機能を有する。
【０１６７】
＜警告メッセージ＞
以下、図面を用いて、警告メッセージの通知動作について説明する。
【０１６８】
図２６は、警告メッセージ表示の判定動作を含むフローチャートの一例である。図７のフローチャートとの大きな差異は、ステップＳ２６０３で録画番組の消去要求であると判定した場合、及び、ステップＳ２６０４で録画番組の移動要求であると判定した場合に、ステップＳ２６１４において、印刷装置２０４の検出状態の判定を行う点にある。
【０１６９】
ここで、印刷装置２０４の検出状態の判定は、現在、印刷制御装置２５００を印刷制御可能な印刷装置２０４が検出されているか、或いは、過去に印刷制御装置２５００を印刷制御可能な印刷装置２０４が検出できていたかにより判定する。
【０１７０】
本実施形態では、印刷装置２０４の検出は、接続機器制御部１２０により実行可能なＵＰｎＰの「Discovery」、又は「Advertise」の仕組みを利用する。印刷装置２０４が検出された場合は、その旨を意味する印刷装置の検出履歴情報を番組記録部１２５のような不揮発性の記憶媒体に記録しておく。
【０１７１】
ステップＳ２６１４において、通知要否判定部２５１９は、番組記録制御部２５２４を介し、番組記録部１２５に記録された印刷装置検出履歴情報に基づき、印刷装置２０４の検出状態の判定を行う。
【０１７２】
ステップＳ２６１５において、通知要否判定部２５１９は、印刷装置２０４の検出履歴が有ると判定した場合、ステップＳ２６０８に進む。一方、印刷装置２０４の検出履歴が一度も無いと判定した場合、図２６のフロー処理を終了する。尚、ステップＳ２６０８以降の動作は、実施形態１のＳ７０８以降の動作と同様である。
【０１７３】
本発明の本実施形態６によれば、印刷制御装置２５００は、記録したＰ−ＴＳを消去、移動する際、Ｐ−ＴＳに印刷制御データや印刷データを含み、更に印刷制御装置が印刷装置を検出した検出履歴がある場合のみに、ユーザに印刷ができなくなることを通知する。この通知により、印刷装置を有する印刷制御装置のユーザは、消去、或いは移動を実行しようとしているＰ-ＴＳに印刷データが含まれていることを認識し、消去、移動を中断することで、印刷データの印刷機会を得ることができる。
更には、印刷コンテンツを提供する者のニーズを満たしつつ、かつ、ユーザが印刷コンテンツの入手機会を喪失しないようにすることができる。
【０１７４】
（実施形態７）
本発明の実施形態７では、印刷データを含む録画済みＰ−ＴＳを移動する際、移動先の機器が印刷機能をサポートしていない場合のみに、印刷する機会を喪失してしまうことをユーザへ通知する警告メッセージの表示を行う例について説明する。
【０１７５】
図２７は、本発明の実施形態７である印刷制御装置２７００の構成を示す図である。図２７において、図１と符号が同様なものは、各々同等の機能を有するものである。
【０１７６】
＜警告メッセージ＞
以下、図面を用いて、警告メッセージの通知動作について説明する。図２８は、警告メッセージ表示の判定動作を含むフローチャートの一例である。図７で示したフローチャートとの差異は、ステップＳ２８０４で録画番組の移動要求であると判定した場合に、ステップＳ２８１４において、移動先の機器に対し、印刷機能のサポート状態の判定を行う点にある。
【０１７７】
移動先の機器に対する印刷機能のサポート状態の判定は、通知要否判定部２７１９から接続機器制御部２７２０、通信制御部１２１を介し送信するＵＰｎＰの仕組みを拡張し、独自に定義したアクションの「getPrintSupport()」により問合せる。このgetPrintSupport()アクションの応答に基づき、印刷制御装置２７００は、移動先の機器、例えば、録画装置２０３の印刷機能サポート状態を判定する。一方、応答が無い場合には、印刷機能をサポートしないと判定する。
【０１７８】
ここで、ステップＳ２８１４において、通知要否判定部２７１９は、接続機器制御部（機能判定手段）２７２０、通信制御部１２１を介し、移動先の機器に対する印刷機能サポート状態の問い合わせを実行し、その応答に基づく判定を行う。
【０１７９】
ステップＳ２８１５において、通知要否判定部２７１９は、移動先の機器が印刷機能をサポートしていないと判定した場合、ステップＳ２８０８に進む。一方、印刷機能をサポートしていると判定した場合、図２８のフロー処理を終了する。尚、ステップＳ２８０８以降の動作は、実施形態１のＳ７０８以降の動作と同様である。
【０１８０】
以上、本実施形態７によれば、印刷制御装置２７００は、記録したＰ−ＴＳを移動する際、Ｐ−ＴＳに印刷制御データや印刷データを含み、更に移動先の装置が印刷機能をサポートしていないと判断した場合のみに、ユーザに印刷ができなくなることを通知する。この通知により、印刷装置を有する印刷制御装置のユーザは、移動を実行しようとしているＰ-ＴＳに印刷データが含まれていることを認識し、消去、移動を中断することで、印刷データの印刷機会を得ることができる。更には、印刷コンテンツを提供する者のニーズを満たしつつ、かつ、ユーザが印刷コンテンツの入手機会を喪失しないようにすることができる。
【０１８１】
（その他実施形態）
前述の実施形態１〜７では、Ｐ−ＴＳの消去、又は移動、又は変換実行前に、印刷する機会を喪失してしまうことをユーザへ通知する警告メッセージを表示する例について、説明を行なった。ここで、印刷制御装置がＰ−ＴＳの編集、例えば、ユーザが不要と感じた部分の削除を実行する以前に、「編集を行うと印刷ができなくなる可能性がある」ことを通知する警告メッセージを表示してもよい。
【０１８２】
また、映像表示部１０８が、警告メッセージを表示する際、単に印刷機会が喪失してしまうことを通知する文章だけを表示するだけにとどまらず、他の通知方法と併用してもよい。例えば、印刷制御装置が、警告メッセージ表示中に、人の音声によって、実際に警告メッセージを読み上げたり、若しくは、音楽や警告音等を鳴らしたりする動作を行う音声装置を備えてもよい。これにより、ユーザは、尚一層警告メッセージを意識し、選択操作の誤操作をなくすことが可能となる。
【０１８３】
また、前述の実施形態５では、録画済みのＰ−ＴＳを変換する際、Ｐ-ＴＳに印刷データが含まれている場合に、警告メッセージを表示する例を説明した。ここで、警告メッセージを表示するタイミングはそれに限らず、アンテナ２００を介し受信するテレビ放送番組を変換して記録する際に表示するように構成すこともできる。この場合には、アンテナ２００を介し受信するテレビ放送番組のＴＳが含むＰＭＴに、番組中に印刷制御データや印刷データが含まれることを示す情報が記述されている場合に、警告メッセージを表示する。
【０１８４】
更に、前述の実施形態６では、Ｐ−ＴＳの消去、又は移動実行前に、現在、又は過去に印刷制御装置２５００を印刷制御可能な印刷装置２０４が検出されていない場合に、警告メッセージを表示する例について、説明を行なった。ここで、変換、或いは編集前にも印刷装置204の検出状態の判定を実施することで、Ｐ−ＴＳの消去、又は移動、変換、編集実行前に、警告メッセージを表示することが可能となる。
【０１８５】
尚、本発明はその精神、又はその主要な特徴から逸脱することなく、様々な形で実現する事が出来る。したがって、前述の実施形態はあらゆる点に於いて単なる例示に過ぎず、限定的に解釈してはならない。
【図面の簡単な説明】
【０１８６】
【図１】本発明の実施形態１である印刷制御装置の構成を示す図である。
【図２】印刷制御装置と印刷制御装置外部との関係及び構成を示す図である。
【図３】印刷制御装置を操作する為のリモコンの構成を示す図である。
【図４】本発明の実施形態１に係る検証及び説明を行う為に試用したＰＭＴの構造の一例である。
【図５】本発明の実施形態１における録画番組管理テーブルを概念的に説明する図である。
【図６】番組視聴表示から警告メッセージを表示するまでのユーザ操作と画面表示例の遷移の関係を示す図である。
【図７】本発明の実施形態１に係る警告メッセージ表示の判定動作を含むフローチャートである。
【図８】本発明の実施形態２である印刷制御装置の構成を示す図である。
【図９】本発明の実施形態２に係る検証及び説明を行う為に試用したＰＩＴの構造の一例である。
【図１０】本発明の実施形態２における録画番組管理テーブルを概念的に説明する図である。
【図１１】本発明の実施形態２に係る警告メッセージ表示の判定動作を含むフローチャートである。
【図１２】本発明の実施形態２に係る警告メッセージ表示例である。
【図１３】本発明の実施形態３である印刷制御装置の構成を示す図である。
【図１４】本発明の実施形態３に係る検証及び説明を行う為に試用したＰＩＴの構造の一例である。
【図１５】本発明の実施形態３における録画番組管理テーブルを概念的に説明する図である。
【図１６】本発明の実施形態３に係る警告メッセージ表示の判定動作を含むフローチャートである。
【図１７】本発明の実施形態２に係る印刷機会喪失警告メッセージ表示例である。
【図１８】本発明の実施形態４である印刷制御装置の構成を示す図である。
【図１９】本発明の実施形態４に係る検証及び説明を行う為に試用したＰＩＴの構造の一例である。
【図２０】本発明の実施形態４における録画番組管理テーブルを概念的に説明する図である。
【図２１】本発明の実施形態４に係る警告メッセージ表示の判定動作を含むフローチャートである。
【図２２】本発明の実施形態５である印刷制御装置の構成を示す図である。
【図２３】番組視聴表示から警告メッセージを表示するまでのユーザ操作と画面表示例の遷移の関係を示す図である。
【図２４】本発明の実施形態５に係る警告メッセージ表示の判定動作を含むフローチャートである。
【図２５】本発明の実施形態６である印刷制御装置の構成を示す図である。
【図２６】本発明の実施形態６に係る警告メッセージ表示の判定動作を含むフローチャートである。
【図２７】本発明の実施形態７である印刷制御装置の構成を示す図である。
【図２８】本発明の実施形態７に係る警告メッセージ表示の判定動作を含むフローチャートである。
【符号の説明】
【０１８７】
１００    印刷制御装置
１１０    グラフィック生成部
１１１    システム制御部
１１９    通知要否判定部
１２４    番組記録制御部
１２５    番組記録部
２０３    録画装置
２０４    印刷装置
２０６    コンテンツサーバ
１８１１  システム制御部
１８２５  通知要否判定部
２２２４  変換制御部
【図１】
2010074619.tif 000003
【図２】
2010074619.tif 000004
【図３】
2010074619.tif 000005
【図４】
2010074619.tif 000006
【図５】
2010074619.tif 000007
【図６】
2010074619.tif 000008
【図７】
2010074619.tif 000009
【図８】
2010074619.tif 000010
【図９】
2010074619.tif 000011
【図１０】
2010074619.tif 000012
【図１１】
2010074619.tif 000013
【図１２】
2010074619.tif 000014
【図１３】
2010074619.tif 000015
【図１４】
2010074619.tif 000016
【図１５】
2010074619.tif 000017
【図１６】
2010074619.tif 000018
【図１７】
2010074619.tif 000019
【図１８】
2010074619.tif 000020
【図１９】
2010074619.tif 000021
【図２０】
2010074619.tif 000022
【図２１】
2010074619.tif 000023
【図２２】
2010074619.tif 000024
【図２３】
2010074619.tif 000025
【図２４】
2010074619.tif 000026
【図２５】
2010074619.tif 000027
【図２６】
2010074619.tif 000028
【図２７】
2010074619.tif 000029
【図２８】
2010074619.tif 000030